(57)【要約】【課題】省設置スペースが可能であり、冷却性能が高い加熱調理器を提供する。【解決手段】本発明の加熱調理器は、開口１ｈ１を有する本体１ｈおよび開口１ｈ１を開閉するドア２と、本体１ｈ内に設けられ、被調理物を入れて加熱するための加熱室３と、被調理物を加熱する加熱手段１１と、加熱室３の下方に設けられた機械室１０と、機械室１０の部品を冷却する複数のファン装置１４ａ、１４ｂとを備えている。  好ましくは、複数のファン装置１４ａ、１４ｂの各吸気孔２６ｉ、２７ｉのうちの一つの吸気孔２６ｉは、外郭を形成する底板１ｓにおける前後方向の中心線ｃ０より前側に形成されている。【選択図】図６
2020197351.tif 000002
【特許請求の範囲】
【請求項１】
開口を有する本体および前記開口を開閉するドアと、
前記本体内に設けられ、被調理物を入れて加熱するための加熱室と、
前記被調理物を加熱する加熱手段と、
前記加熱室の下方に設けられた機械室と、
前記機械室の部品を冷却する複数のファン装置とを備えている
ことを特徴とする加熱調理器。
【請求項２】
請求項１に記載の加熱調理器において、
前記複数のファン装置の各吸気孔のうちの一つの吸気孔は、
外郭を形成する底板における前後方向の中心線より前側に形成されている
ことを特徴とする加熱調理器。
【請求項３】
請求項１に記載の加熱調理器において、
前記複数のファン装置の各吸気孔のうちの一つの吸気孔は、
前記本体の前後方向の中心面より後側に配置されている
ことを特徴とする加熱調理器。  
【請求項４】
請求項１に記載の加熱調理器において、
前記複数のファン装置のうちの何れかのファン装置は、
前記本体の前後方向の中心面より前側に配置されている
ことを特徴とする加熱調理器。  
【請求項５】
請求項１に記載の加熱調理器において、
前記複数のファン装置のうちの何れかのファン装置は、
前記本体の前後方向の中心面より後側に配置されている
ことを特徴とする加熱調理器。
【発明の詳細な説明】
【技術分野】
【０００１】
本発明は、加熱調理器に関する。
【背景技術】
【０００２】
従来、レンジおよびオーブンの機能をもつ加熱調理器は、加熱調理による温度上昇を抑えるため、側面および背面側にスペースを設けて設置していた。そのため、機内の被加熱物を加熱するために加熱室の温度が上昇しても、制御基板、インバータ基板や重量センサを冷却する空気の温度が問題になるほど上昇することはなかった。
【０００３】
ところで、昨今の住宅事情から、加熱調理器を設置するスペースの省スペース化が望まれている。
設置場所の省スペース化のために加熱調理器の側面及び背面を壁に近接させて設置する。そのため、温かい空気が加熱調理器の後に溜まる。
【０００４】
これの対策として、特許文献１に記載の加熱調理器がある。
特許文献１では、加熱調理器の底板に吸気孔を設け、底板からの吸気により、側方および背面側に大きなスペースを設けることなく加熱調理器を設置できるようにしている。
【先行技術文献】
【特許文献】
【０００５】
【特許文献１】特開２０１５−２０３５２８号公報
【発明の概要】
【発明が解決しようとする課題】
【０００６】
ところで、特許文献１に示された構造では１つのファン装置によって機械室すべての冷却を行わなければならず、ファン装置が大型化してしまう。また、１つのファン装置により冷却をするため、冷却風を分配ができず、部品ごとに冷却の強さを変えることができなかった。つまり、１つのファン装置であると、例えば、ある箇所は冷却風を強めに送り、他の箇所は冷却風を弱めに送ることができない。
また、ファン装置が大型であると風路も大きくなる。
【０００７】
さらに、ファン装置の吸気口を確保するため、加熱調理器の前面側に吸気口を設けると、加熱調理器の前面側には前開きのドアがあるため、ドアの下方に吸気口を設けねばならない。そのため、加熱調理器の高さが高くなるという問題が生じる。
本発明は上記実状に鑑み創案されたものであり、省設置スペースが可能であり、冷却性能が高い加熱調理器の提供を目的とする。
【課題を解決するための手段】
【０００８】
前記課題を解決するため、本発明の加熱調理器は、開口を有する本体および前記開口を開閉するドアと、前記本体内に設けられ、被調理物を入れて加熱するための加熱室と、前記被調理物を加熱する加熱手段と、前記加熱室の下方に設けられた機械室と、前記機械室の部品を冷却する複数のファン装置とを備えていることを特徴とする。
【発明の効果】
【０００９】
本発明によれば、省設置スペースが可能であり、冷却性能が高い加熱調理器を提供することができる。
【図面の簡単な説明】
【００１０】
【図１】本発明に係る実施形態の加熱調理器を斜め前方側から見た斜視図。
【図２】図１のＡ−Ａ断面図。
【図３】実施形態の加熱調理器を斜め前下方から見た斜視図。
【図４】実施形態の加熱調理器の本体から外枠を取り外した状態を斜め前下方から見た斜視図。
【図５】（ａ）は第１ファン装置の取付部の分解状態を示す分解斜視図、（ｂ）は第２ファン装置の取付部の分解状態を示す分解斜視図。
【図６】実施形態の加熱調理器１の本体から外枠を取り外した状態での冷却風の流れを斜め前下方から見た拡大斜視図。
【発明を実施するための形態】
【００１１】
以下、本発明の実施形態について、適宜図面を参照しながら詳細に説明する。
【００１２】
図１は、本発明に係る実施形態の加熱調理器１を斜め前方側から見た斜視図である。
実施形態の加熱調理器１は、加熱室３の中に加熱する被調理物を入れ、マイクロ波やヒータ、水蒸気の熱を用いて被調理物を加熱調理する機器である。
【００１３】
加熱調理器１は、前部に開口１ｈ１を有する本体１ｈと、該開口１ｈ１を開閉するドア２とを備えている。
加熱調理器１の本体１ｈは、上下左右と奥に壁を備える加熱室３を有している。
【００１４】
ドア２の上部には、取っ手９が取り付けられている。取っ手９は、ドア２の開閉に際して利用者に把持されるため、手で握りやすい形状になっている。ドア２は、上部が手前下方に開く構成である。
ドア２は、加熱室３の内部に被調理物を出し入れする際に開閉される。
【００１５】
ドア２を閉めることで、被調理物が入れられた加熱室３が密閉状態とされる。密閉状態により、被調理物を加熱するときに使用するマイクロ波の漏洩を防止し、また、ヒータで加熱する際に熱を加熱室３内に封じ込め、効率良く被調理物を加熱することを可能とする。
【００１６】
ドア２には、調理中の被調理物の状態が目視確認できるようにガラス窓２ｇが取り付けられている。ガラス窓２ｇは、ヒータ等の発熱による高温に耐えるガラスを使用している。
【００１７】
ドア２の前面下側の操作パネル４には、入力手段が設けられている。入力手段５は、表示部５ａと操作部５ｂとで構成される。
【００１８】
図２は、図１のＡ−Ａ断面図である。
操作部５ｂ（図１参照）は、利用者がレンジ加熱手段（マグネトロン１１（図４参照）等）、グリル加熱手段６、水蒸気発生手段７、オーブン加熱手段（熱風ユニット８等）などの加熱手段を選択し、加熱する時間等の調理条件や自動メニューを入力する。
【００１９】
レンジ加熱手段は、マグネトロン１１で発生するマイクロ波で被調理物を加熱する。
グリル加熱手段６は、加熱室上面３ｕの外側に設けたヒータで被調理物を加熱する。
【００２０】
水蒸気発生手段７は、水蒸気により被調理物を加熱する。
オーブン加熱手段は、加熱室奥壁面３ｋの奥側に設けられている。オーブン加熱手段は、加熱室奥壁面３ｋの上方と下方に設けられた熱風ヒータ８ａ，８ｂをもつ熱風ユニット８によって発生する熱風で加熱室３を加熱する。
【００２１】
表示部５ａは、操作部５ｂから入力された内容や調理の進行状態を表示する。
【００２２】
本体１ｈの前面下側には、水タンク９が設けられている。水タンク９は、水蒸気を作るのに必要な水を溜めておく容器である。水タンク９を、本体１の前面の水タンク保持部材９ｈ（図１参照）から着脱可能な構造とすることで給水および排水が容易にできる構成である。
【００２３】
図１に示す外枠１ｗは、加熱調理器１の本体１ｈの上下面と左右側面と後面を覆うキャビネットである。
【００２４】
後板１ｕ（図２参照）は、外枠１ｗの後面を形成する。後板１ｕの上部には、外部排気ダクト１ｄ（図１参照）が取り付けられている。
【００２５】
図３は、実施形態の加熱調理器１を斜め前下方から見た斜視図である。図４は、図３において、実施形態の加熱調理器１の本体１ｈから外枠１ｗを取り外した状態を斜め前下方から見た斜視図である。
【００２６】
図１に示す外部排気ダクト１ｄは、機械室１０（図２、図４参照）を冷却した後の空気を外部排気口１ｅ（図１参照）から排出する。
【００２７】
機械室１０は、加熱室底面３ｂと本体１ｈの底板１ｓとの間の空間部に設けられている。底板１ｓ上には食品を加熱するためのマグネトロン１１（図４参照）、マグネトロン１１を接続した導波管１２（図２参照）、制御基板１３（図４参照）等の各種部品、これらの各種部品を冷却する冷却手段１４（１４ａ、１４ｂ）（図４等）が取り付けられている。
【００２８】
マグネトロン１１は、マイクロ波を発信する電気部品であり、マイクロ波を被調理物に放射して加熱する。マグネトロン１１は、高電圧が印加されることから高温となる。
制御基板１３には、１００Ｖの電圧をマグネトロン１１に付与する高電圧に昇圧する昇圧器のコイル１３ｃ、電力素子１３ｄ等の高温となる各種電気部品が実装されている。そのため、制御基板１３は、加熱調理器１の稼動によりコイル１３ｃや電力素子１３ｄ等により高温になる。
【００２９】
図２に示すように、加熱室底面３ｂは、略中央部が凹状に窪んでいる。凹状の略中央部には、回転アンテナ１６が設置されている。回転アンテナ１６は、回転アンテナ駆動手段１６ｋの出力軸１６ｊに連結されている。回転アンテナ駆動手段１６ｋには回転アンテナ１６の位置を検出するアンテナ位置検出手段（図示せず）を備える。
【００３０】
マグネトロン１１から放射されるマイクロ波は、導波管１２と回転アンテナ駆動手段１６ｋの出力軸１６ｊが貫通する結合穴１７とを通して回転アンテナ１６の下面に流入する。流入したマイクロ波は、回転アンテナ１６で拡散されて加熱室３内に放射される。
【００３１】
加熱室３の後部には熱風ユニット８が取り付けられている。熱風ユニット８は、加熱室奥壁面３ｋの後部外側に熱風ケース８ｃが設けられる。加熱室奥壁面３ｋと熱風ケース８ｃとの間に熱風ファン１８とその外周側に位置するように熱風ヒータ８ａおよび熱風ヒータ８ｂが設けられている。熱風ケース８ｃの後側に熱風モータ１９を取り付け、熱風モータ１９の軸を熱風ケース８ｃに設けた穴を通して熱風ファン１８と連結している。
【００３２】
熱風ユニット８は加熱室奥壁面３ｋに設けた空気の通り道となる熱風吸気孔３ｉと熱風吹出し孔３ｏとを通して連結されている。熱風ケース８ｃ内の熱風ファン１８を熱風モータ１９により回転することで、加熱室３と熱風ユニット８との空気を循環し、上部の熱風ヒータ８ａと下部の熱風ヒータ８ｂを循環する空気を加熱する。
【００３３】
また、熱風ユニット８の代わりに、加熱室３の上面と下面にヒータを設けて加熱室３を加熱してもよい。
【００３４】
図２に示す加熱室上面３ｕの外側には、ヒータよりなるグリル加熱手段６が取り付けられている。
【００３５】
グリル加熱手段６は、下記のように構成されている。
マイカ板にヒータ線を巻き付けて平面状にグリル加熱手段６が形成される。平面状のグリル加熱手段６は、加熱室上面３ｕ（図２参照）の外側に押し付けて固定される。加熱室上面３ｕの外側のグリル加熱手段６は、加熱室上面３ｕを加熱することで、加熱室３内の被調理物を輻射熱によって焼く。
【００３６】
図２に示す加熱室底面３ｂには、複数個の重量検出手段、例えば前側左右に右側重量センサ、左側重量センサ、後側中央に奥側重量センサ２０が設けられている。複数個の重量検出手段の上には、テーブルプレート２１が載置されている。
【００３７】
テーブルプレート２１は、食品を載置するためのプレートである。テーブルプレート２１は、ヒータ加熱とマイクロ波加熱の両方に使用できるように耐熱性を有している。また、テーブルプレート２１は、マイクロ波の透過性が良く、衛生面でも問題がない磁器等の材料で成形されている。
【００３８】
加熱室３の後部上方には、加熱室３内の温度を検出する温度検出手段（図示せず）が設けられている。温度検出手段は、グリル加熱手段６および熱風ユニット８の熱風吹出し孔３ｏから加熱室３内に吹出される熱風の影響を直接受けない位置に設けられている。
【００３９】
＜スチームユニット＞
スチームユニットは水蒸気発生手段７（図２参照）とポンプ手段（図示せず）により成る。
【００４０】
水蒸気発生手段７は、加熱室左側面３ｌの外側面に取り付けられている。そして、水蒸気を噴出するスチーム噴出口７ｆは加熱室３内に臨んで設けられている。
【００４１】
水蒸気発生手段７は、アルミニウム鋳造で作られ、鋳造時にシーズヒータを一体に埋め込んでいる。シーズヒータの消費電力は６００Ｗ前後と大きく、水蒸気発生手段７は短時間で水を沸騰できる温度に加熱する。
【００４２】
水蒸気発生手段７への水の供給は、図示しないポンプ手段を駆動することによって水タンク９から供給される。水は、水蒸気発生手段７で加熱されて沸騰し、水蒸気となってスチーム噴出口７ｆ（図２参照）から加熱室３の内部に噴出される。
【００４３】
＜冷却手段１４＞
図４に示す冷却手段１４は、第１ファン装置１４ａと第２ファン装置１４ｂとを有している。
【００４４】
第１ファン装置１４ａは、本体１ｈの前後方向の中心面ｍ０（図２、図３参照）より前側に配置されている。第２ファン装置１４ｂは、本体１ｈの前後方向の中心面ｍ０（図２、図３参照）より後側に配置されている。
【００４５】
図５（ａ）は第１ファン装置１４ａの取付部の分解状態を示す分解斜視図であり、図５（ｂ）は第２ファン装置１４ｂの取付部の分解状態を示す分解斜視図である。
第１ファン装置１４ａは、インバータ基板１５、制御基板１３等を通風により冷却するためのファン装置である。インバータ基板１５は、マグネトロン１１を駆動するための電源を作るインバータ回路を搭載した基板であり、マグネトロン１１のＯＮ／ＯＦＦ制御を行う。そのため、インバータ基板１５は高温となる。
【００４６】
第２ファン装置１４ｂは、マグネトロン１１を通風により冷却するためのファン装置である。
【００４７】
図５（ａ）に示すように、第１ファン装置１４ａは、風を送るファン１４ａ１とファン１４ａ１を駆動するファンモータ１４ａ２とを有している。
第１ファン装置１４ａは、冷却手段保持部材２２に取り付けられ、上方からフタ２２ａが被せられる。
第１ファン装置１４ａの下流には、インバータ基板１５、制御基板１３等が配置されている。
【００４８】
図５（ｂ）に示すように、第２ファン装置１４ｂは、風を送るファン１４ｂ１とファン１４ｂ１を駆動するファンモータ１４ｂ２とを有している。
第２ファン装置１４ｂは、冷却手段保持部材２３に取り付けられる。
【００４９】
＜機械室１０の冷却構成＞
次に、機械室１０の冷却構成について説明する。
図６は、実施形態の加熱調理器１の本体１ｈから外枠１ｗを取り外した状態での冷却風の流れを斜め前下方から見た拡大斜視図である。
【００５０】
図３に示すように、加熱調理器１の底板１ｓの前後方向の中心線ｃ０より前方に、第１吸気孔２６ｉが複数の小孔で形成されている。第１ファン装置１４ａの稼動により、第１吸気孔２６ｉから、機械室１０における制御基板１３等の冷却のために室内の空気が機械室１０の内部に吸込まれる（図６のα１１）。
【００５１】
また、底板１ｓの中央部には、第１排気孔２６ｏが複数の小孔で形成されている。第１排気孔２６ｏからは、第１吸気孔２６ｉから吸込まれた機械室１０の冷却後の空気が機外に排出される。
【００５２】
加熱調理器１の本体１ｈの前後方向の中心面ｍ０（図３参照）より後側には第２吸気孔２７ｉが複数の小孔で形成されている。第２ファン装置１４ｂの稼動により、第２吸気孔２７ｉから、機械室１０におけるマグネトロン１１の冷却のために室内の空気が機械室１０のマグネトロン１１に向けて吸込まれる（図６の矢印α２１）。
【００５３】
図３に示すように、左側板１ｓ１の下部と後上部には、第２排気孔２７ｏが複数の小孔で形成されている。第２排気孔２７ｏからは、第２吸気孔２７ｉから吸込まれたマグネトロン１１の冷却後の空気が外部に排出される。
【００５４】
図４に示すように、ダクト２８が第１ファン装置１４ａまで第１ダクト２８ａ、第２ダクト２８ｂ、第３ダクト２８ｃ、第４ダクト２８ｄ、および第２ダクト２８ｅを有して連続して形成されている。ダクト２８の前方には、機械室前壁１０ａが立設されている。
【００５５】
第１ファン装置１４ａの稼動により、加熱調理器１の前下方の空気が、底板１ｓの第１吸気孔２６ｉ（図３参照）から上方の機械室１０に吸込まれる（図６の矢印α１１）。機械室１０に吸込まれた空気は、ダクト２８と機械室前壁１０ａとに案内されて、第１ファン装置１４ａに導かれる（図６の矢印α１２）。そして、第１ファン装置１４ａに吸引された空気は後方（図６の矢印α１３）に進み、側方（図６の矢印α１４）に案内される。そして、案内された空気は、外部排気口１ｅ（図１）から後方に排出される（図６の矢印α１５）とともに、回転アンテナ駆動手段１６ｋの周囲を進み（図６の矢印α１６）、第１排気孔２６ｏ（図３参照）から加熱調理器１の下方に排出される。
【００５６】
また、図６に示す第２ファン装置１４ｂの稼動により、第２吸気孔２７ｉ（図３参照）から加熱調理器１の後方の空気が内部に吸込まれる（図６の矢印α２１）。吸込まれた空気は、マグネトロン１１の周囲を通過して（図６の矢印α２２）冷却した後、第２排気孔２７ｏ（図３参照）から加熱調理器１の外部に排出される（図６の矢印α２３）。
【００５７】
上記構成によれば、制御基板１３の冷却用の第１ファン装置１４ａと、マグネトロン１１の冷却用の第２ファン装置１４ｂとの複数の冷却用のファンを用いるので、冷却機能の分配が行える。例えば、第２ファン装置１４ｂの稼動を強めたり、第１ファン装置１４ａの稼動を弱めたりできる。また、複数の冷却用のファン装置をもつので、各ファン装置は小型となり省スペースで済み、風路も小さくできる。そのため、加熱調理器１の高さ寸法を低くできる。
【００５８】
また、複数の冷却用のファン装置を用いることで、ファン装置を離して配置でき、騒音を低下できる。
さらに、制御基板１３の冷却用の第１ファン装置１４ａのための空気吸い込み口である第１吸気孔２６ｉを底板１ｓの前後方向の中心線ｃ０より前方に形成したので、加熱調理器１で加熱されていない冷たい空気を室内から吸い込むことができる。また、加熱調理器１の前面と第１吸気孔２６ｉまでの距離が短いので、加熱調理器１の下方に空間を余分に設けて風路を確保する必要がない。そのため、加熱調理器１の高さを低くできる。
【００５９】
また、マグネトロン１１の冷却用の第２ファン装置１４ｂのための空気吸い込み口である第２吸気孔２７ｉを本体１ｈの前後方向の中心面ｍ０（図３参照）より後方に形成したので、ファンの騒音を前後に分離でき、騒音低下に繋がる。
【００６０】
つまり、第１ファン装置１４ａのファンモータを底板１ｓの前後方向の中心線ｃ０より前方に配置し、第２ファン装置１４ｂのファンモータを底板１ｓの前後方向の中心線ｃ０より後方に配置したので、モータの騒音が前後に分離でき、騒音低下に繋がる。
【００６１】
以上のことから、重要部品が実装された制御基板１３を冷却するための空気を加熱調理器１の前方から吸い、マグネトロン１１を冷却するための空気を加熱調理器１の後方から吸い込み、冷却を行うので冷却効率が高い。
また、第１ファン装置１４ａのファンモータと第２ファン装置１４ｂのファンモータを複数有し、吸込み口を底板１ｓの前方と後方とにした。そのため、加熱調理器１を壁近くに設置でき、設置性が良好である。
【００６２】
＜その他の実施形態＞＞
１．前記実施形態では、加熱調理器１が複数のファン装置を備える例として、第１ファン装置１４ａと第２ファン装置１４ｂを備える場合を例示して説明したが、３つ以上のファン装置を備える構成としてもよい。
【００６３】
２．前記実施形態、実施例等は、本発明を分かり易く説明するために詳細に記載したものであり、必ずしも説明した全ての構成を備えるものに限定されない。また、実施形態の構成の一部について、他の構成の追加・削除・置換することが可能である。
【００６４】
３．また、本発明は、特許請求の範囲に記載した範囲内で様々な変形形態、具体的形態が可能であり、説明した実施形態に限定されない。
【符号の説明】
【００６５】
１      加熱調理器
１ｈ    本体
１ｈ１  開口    
１ｓ    底板
１ｗ    外枠（外郭、筺体）
２      ドア
３      加熱室
６      グリル加熱手段（加熱手段）
８      熱風ユニット（加熱手段）
８ａ、８ｂ  熱風ヒータ（加熱手段）
１０    機械室
１１    マグネトロン（加熱手段、部品）
１３    制御基板（部品）
１３ｃ  コイル（部品）
１３ｄ  電力素子（部品）
１４ａ  第１ファン装置（複数のファン装置、何れかのファン装置）
１４ｂ  第２ファン装置（複数のファン装置、何れかのファン装置）
１５    インバータ基板（部品）
２６ｉ  第１吸気孔（吸気孔、一つの吸気孔）
２７ｉ  第２吸気孔（吸気孔、一つの吸気孔）
ｃ０    中心線
ｍ０    中心面
【図１】
2020197351.tif 000003
【図２】
2020197351.tif 000004
【図３】
2020197351.tif 000005
【図４】
2020197351.tif 000006
【図５】
2020197351.tif 000007
【図６】
2020197351.tif 000008